(57)【要約】【課題】  簡易な構成を持った物体の面に塗布剤を塗布するための塗布シートを保持する塗布補助具とそれを用いた塗布具を提供しようとする。【解決手段】  従来の物体の面に塗布剤を塗布するための塗布具にかわって、塗布剤が染み込み易いシート状の塗布シートと、互いに対向する上面と下面とをもち該上面と該下面とを貫通する貫通穴を設けられた塊状の第一部材と前記貫通穴に嵌め合い可能な塊状の第二部材と有する塗布補助具と、を備え、前記塗布シートで前記第一部材の前記下面を覆って前記第一部材の１対の側面を囲い、前記塗布シートの互いに離れた少なくとも２箇所の端部を前記上面の側から前記貫通穴に詰め込み、前記第二部材を前記貫通穴に嵌め合わせて前記塗布シートの前記貫通穴に詰め込まれた部分を押さえ込むことができる、ものとした。【選択図】    図４
2010131530.tif 000002
【特許請求の範囲】
【請求項１】
物体の面に塗布剤を塗布するためのシート状の塗布シートを保持するための塗布補助具であって、
互いに対向する上面と下面とをもち該上面と該下面とを貫通する貫通穴を設けられた塊状の第一部材と、
前記貫通穴に嵌め合い可能な塊状の第二部材と、
を備え、
前記塗布シートで前記第一部材の前記下面を覆って前記第一部材の１対の側面を囲い、前記塗布シートの互いに離れた少なくとも２箇所の端部を前記上面の側から前記貫通穴に詰め込み、前記第二部材を前記貫通穴に嵌め合わせて前記塗布シートの前記貫通穴に詰め込まれた部分を押さえ込むことができる、
ことを特徴とする塗布補助具。
【請求項２】
前記第二部材が前記第一部材から前記貫通穴の輪郭に沿って抜き取った残材でできている、
ことを特徴とする請求項１に記載の塗布補助具。
【請求項３】
前記下面が略平面であり、
前記上面の一部が中心部の側から縁部に向かって移動するに従い前記下面との厚みが薄くなる様に傾斜している、
ことを特徴とする請求項２に記載の塗布補助具。
【請求項４】
前記第一部材が下面の側から見て略長方形であって略長方形の１対の長辺が内側に向かって各々に湾曲している輪郭を持つ、
ことを特徴とする請求項３に記載の塗布補助具。
【請求項５】
物体の面に塗布剤を塗布するための塗布具であって、
塗布剤が染み込み易いシート状の塗布シートと、
互いに対向する上面と下面とをもち該上面と該下面とを貫通する貫通穴を設けられた塊状の第一部材と前記貫通穴に嵌め合い可能な塊状の第二部材と有する塗布補助具と、
を備え、
前記塗布シートで前記第一部材の前記下面を覆って前記第一部材の１対の側面を囲い、前記塗布シートの互いに離れた少なくとも２箇所の端部を前記上面の側から前記貫通穴に詰め込み、前記第二部材を前記貫通穴に嵌め合わせて前記塗布シートの前記貫通穴に詰め込まれた部分を押さえ込むことができる、
ことを特徴とする塗布補助具。
【請求項６】
前記第二部材が前記第一部材から前記貫通穴の輪郭に沿って抜き取った残材でできている、
ことを特徴とする請求項５に記載の塗布具。
【請求項７】
前記下面が略平面であり、
前記上面の一部が中心部の側から縁部に向かって移動するに従い前記下面との厚みが薄くなる様に傾斜している、
ことを特徴とする請求項６に記載の塗布具。
【請求項８】
前記第一部材が下面の側から見て略長方形であって略長方形の１対の長辺が内側に向かって各々に湾曲している輪郭を持つ、
ことを特徴とする請求項７に記載の塗布具。
【発明の詳細な説明】
【技術分野】
【０００１】
本発明は、物体の面に塗布剤を塗布するための塗布シートを保持する塗布補助具とそれを用いた塗布具にかかるものである。
【背景技術】
【０００２】
物体の表面に塗布剤を塗布したいことがある。
例えば、自動車のボデーやガラスの表面に塗布剤を塗布したり、自動車のシートに塗布剤を塗布する。
一般には、シート状のものに塗布剤を吸収させ、素手でシート状のものを物体の表面をなぞる。
【０００３】
自動車のボデーやガラスやシートの表面は凸凹や曲面があるので、塗布剤を均一により簡便に塗布するための道具が望まれていた。
【０００４】
【特許文献１】実開平５−２２０６９号
【発明の開示】
【発明が解決しようとする課題】
【０００５】
本発明は以上に述べた要望に鑑み案出されたもので、簡易な構成を持った物体の面に塗布剤を塗布するための塗布シートを保持する塗布補助具とそれを用いた塗布具を提供しようとする。
【課題を解決するための手段】
【０００６】
上記目的を達成するため、本発明に係る物体の面に塗布剤を塗布するためのシート状の塗布シートを保持するための塗布補助具を、互いに対向する上面と下面とをもち該上面と該下面とを貫通する貫通穴を設けられた塊状の第一部材と、前記貫通穴に嵌め合い可能な塊状の第二部材と、を備え、前記塗布シートで前記第一部材の前記下面を覆って前記第一部材の１対の側面を囲い、前記塗布シートの互いに離れた少なくとも２箇所の端部を前記上面の側から前記貫通穴に詰め込み、前記第二部材を前記貫通穴に嵌め合わせて前記塗布シートの前記貫通穴に詰め込まれた部分を押さえ込むことができる、ものとした。
【０００７】
上記本発明の構成により、第一部材が、互いに対向する上面と下面とをもち該上面と該下面とを貫通する貫通穴を設けられた塊状の部材である。第二部材が、前記貫通穴に嵌め合い可能な塊状の部材である。前記塗布シートで前記第一部材の前記下面を覆って前記第一部材の１対の側面を囲い、前記塗布シートの互いに離れた少なくとも２箇所の端部を前記上面の側から前記貫通穴に詰め込み、前記第二部材を前記貫通穴に嵌め合わせて前記塗布シートの前記貫通穴に詰め込まれた部分を押さえ込むことができる。
その結果、前記第一部材の下側から前記塗布シートに塗布剤を染み込ませて、前記第一部材と前記第二部材とを物体の面に沿って移動させて、物体の面に塗布剤を塗布できる。
【０００８】
以下に、本発明の実施形態に係る塗布補助具を説明する。本発明は、以下に記載した実施形態のいずれか、またはそれらの中の二つ以上が組み合わされた態様を含む。
【０００９】
本発明の実施形態に係る塗布補助具は、前記第二部材が前記第一部材から前記貫通穴の輪郭に沿って抜き取った残材でできている。
上記の実施形態の構成により、前記第二部材が前記第一部材から前記貫通穴の輪郭に沿って抜き取った残材でできている。
その結果、歩留まり良く前記第一部材と前記第二部材とを作ることができ、前記貫通穴に嵌め合わせた前記第二部材が抜けにい。
【００１０】
本発明の実施形態に係る塗布補助具は、前記下面が略平面であり、前記上面の一部が中央部から縁部に向かって前記下面との厚みが薄くなる様に傾斜している。
上記の実施形態の構成により、前記上面の一部が中央部の側から縁部に向かって前記下面との厚みが薄くなる様に傾斜している。
その結果、塗布剤を染ませた前記塗布シートを前記第一部材と前記第二部材とに挟んで、物体の表面に沿って移動する際に、狭い個所にも塗布剤を塗布できる。
【００１１】
本発明の実施形態に係る塗布補助具は、前記第一部材が下面の側から見て略長方形であって略長方形の１対の長辺が内側に向かって各々に湾曲している輪郭を持つ。
上記の実施形態の構成により、前記第一部材が下面の側から見て略長方形であって略長方形の１対の長辺が中央部に向かって各々に湾曲している輪郭を持つ。
その結果、手で第一部材を把持する際に、湾曲した輪郭をつかみ易くなる。
【００１２】
上記目的を達成するため、本発明に係る物体の面に塗布剤を塗布するための塗布具を、
塗布剤が染み込み易いシート状の塗布シートと、互いに対向する上面と下面とをもち該上面と該下面とを貫通する貫通穴を設けられた塊状の第一部材と前記貫通穴に嵌め合い可能な塊状の第二部材と有する塗布補助具と、を備え、前記塗布シートで前記第一部材の前記下面を覆って前記第一部材の１対の側面を囲い、前記塗布シートの互いに離れた少なくとも２箇所の端部を前記上面の側から前記貫通穴に詰め込み、前記第二部材を前記貫通穴に嵌め合わせて前記塗布シートの前記貫通穴に詰め込まれた部分を押さえ込むことができる、ものとした。
【００１３】
上記本発明の構成により、塗布シートが、塗布剤が染み込み易いシート状の材料である。塗布補助具が、第一部材と第二部材とを有する。前記第一部材が、互いに対向する上面と下面とをもち該上面と該下面とを貫通する貫通穴を設けられた塊状の部材である。前記第二部材が、前記貫通穴に嵌め合い可能な塊状の部材である。前記塗布シートで前記第一部材の前記下面を覆って前記第一部材の１対の側面を囲い、前記塗布シートの互いに離れた少なくとも２箇所の端部を前記上面の側から前記貫通穴に詰め込み、前記第二部材を前記貫通穴に嵌め合わせて前記塗布シートの前記貫通穴に詰め込まれた部分を押さえ込むことができる。
その結果、前記第一部材の下側から前記塗布シートに塗布剤を染み込ませて、前記第一部材と前記第二部材とを物体の面に沿って移動させて、物体の面に塗布剤を塗布できる。
【００１４】
以下に、本発明の実施形態に係る塗布具を説明する。本発明は、以下に記載した実施形態のいずれか、またはそれらの中の二つ以上が組み合わされた態様を含む。
【００１５】
本発明の実施形態に係る塗布具は、前記第二部材が前記第一部材から前記貫通穴の輪郭に沿って抜き取った残材でできている。
上記の実施形態の構成により、前記第二部材が前記第一部材から前記貫通穴の輪郭に沿って抜き取った残材でできている。
その結果、歩留まり良く前記第一部材と前記第二部材とを作ることができ、前記貫通穴に嵌め合わせた前記第二部材が抜けにい。
【００１６】
本発明の実施形態に係る塗布補助具は、前記下面が略平面であり、前記上面の一部が中心部の側から縁部に向かって移動するに従い前記下面との厚みが薄くなる様に傾斜している、
上記の実施形態の構成により、前記上面の一部が中心部の側から縁部に向かって移動するに従い前記下面との厚みが薄くなる様に傾斜している。
その結果、塗布剤を染ませた前記塗布シートを前記第一部材と前記第二部材とに挟んで、物体の表面に沿って移動する際に、狭い個所にも塗布剤を塗布できる。
【００１７】
本発明の実施形態に係る塗布補助具は、前記第一部材が下面の側から見て略長方形であって略長方形の１対の長辺が内側に向かって各々に湾曲している輪郭を持つ。
上記の実施形態の構成により、前記第一部材が下面の側から見て略長方形であって略長方形の１対の長辺が内側に向かって各々に湾曲している輪郭を持つ。
その結果、手で第一部材を把持する際に、湾曲した輪郭をつかみ易くなる。
【発明の効果】
【００１８】
以上説明したように、本発明に係る塗布補助具と塗布具とは、その構成により、以下の効果を有する。
第一部材に第二部材の嵌め合う貫通穴を設け、前記塗布シートで前記第一部材の前記下面を覆う様に前記第一部材を囲い、前記第一部材の離れた少なくとも２箇所の端部を前記上面の側から前記貫通穴に押し込み、前記第二部材で第二部材の前記貫通穴に嵌め合わせた部分を押さえ込まれる様にしたので、前記第一部材と前記第二部材とに挟まれた前記塗布シートに塗布剤を染み込ませて、前記第一部材と前記第二部材とを物体の面に沿って移動させて、物体の面に塗布剤を塗布できる。
また、前記第二部材が前記第一部材から前記貫通穴の輪郭に沿って抜き取った残材で作ったので、歩留まり良く前記第一部材と前記第二部材とを作ることができ、前記貫通穴に嵌め合わせた前記第二部材が抜けにい。
また、前記上面の一部が中央部の側から縁部に向かって移動するにしたがって前記下面との厚みが薄くなる様に傾斜している様にしたので、塗布剤を染ませた前記塗布シートを前記第一部材と前記第二部材とに挟んで、物体の表面に沿って移動する際に、狭い個所にも塗布剤を塗布できる。
また、前記第一部材が下面の側から見て略長方形であって略長方形の１対の長辺が中央部に向かって各々に湾曲している輪郭を持つ様にしたので、手で第一部材を把持する際に、湾曲した輪郭をつかみ易くなる。
従って、簡易な構成を持った塗布補助具と塗布具とを提供できる。
【発明を実施するための最良の形態】
【００１９】
以下、本発明を実施するための最良の形態を、図面を参照して説明する。
【００２０】
最初に、本発明の第一の実施形態にかかる塗布補助具と塗布具とを説明する。
図１は、本発明の第一の実施形態に係る塗布具の平面図である。図２は、本発明の第一の実施形態に係る塗布具のＡ−Ａ断面図である。図３は、本発明の第一の実施形態に係る塗布具のＢ−Ｂ断面図である。図４は、本発明の第一の実施形態に係る塗布具の平面組立図である。図５は、本発明の第一の実施形態に係る塗布具のＣ−Ｃ断面図である。図６は、本発明の第一の実施形態に係る塗布具のＤ−Ｄ断面図である。
【００２１】
第一の実施形態にかかる塗布具は、物体の面に塗布剤を塗布するためのものであり、塗布シート１０と塗布補助具２０とで構成される。
塗布シート１０は、塗布剤が染み込み易いシート状の部材である。
例えば、塗布シート１０は、紙、布、編み物、樹脂シート、不織布、等である。
【００２２】
塗布補助具２０は、物体の面に塗布剤を塗布するためのシート状の塗布シート１０を保持するためのものであり、第一部材２１と第二部材２２とで構成される。
【００２３】
第一部材２１は、互いに対向する上面と下面とをもち該上面と該下面とを貫通する貫通穴を設けられた塊状の部材である。
第一部材２１は、弾性を持つ素材でできていてもよい。
例えば、第一部材２１は、発泡樹脂製である。
例えば、第一部材２１は、発泡ウレタン製である。
上面の一部が中心部の側から縁部に向かって移動するに従い下面との厚みが薄くなる様に傾斜していてもよい。
第一部材が下面の側から見て略長方形であって略長方形の１対の長辺が中心部に向かって各々に湾曲している輪郭を持っていてもよい。
貫通穴Ｈは、上から見て略長方形の断面を持っていてもよい。
貫通穴Ｈは、上面と下面とを連通する均一な輪郭をもった穴であってもよい。
【００２４】
第二部材２２は、貫通穴に嵌め合い可能な塊状の部材である。
第二部材２２が第一部材２１から貫通穴Ｈの輪郭に沿って抜き取った残材でできていてもよい。
例えば、第二部材２２の外形は貫通穴Ｈの輪郭に一致する。
【００２５】
塗布シート１０で第一部材２１の下面を覆って第一部材２１の１対の側面を囲い、塗布シート１０の互いに離れた少なくとも２箇所の端部を上面の側から貫通穴Ｈに詰め込み、第二部材２２を貫通穴Ｈに嵌め合わせて塗布シートの貫通穴に詰め込まれた部分を押さえ込むことができる。
【００２６】
塗布剤を下面から沁ませると、貫通穴Ｈの中に押し込まれた塗布シート１０が塗布剤を吸収する。塗布作業を行う際に、塗布剤が貫通穴Ｈの中に押し込まれた塗布シート１０から染み出て、塗布剤の頻繁な追加が不要になる。その結果、物体の面に塗布剤を塗布する作業を効率良く行うことができる。
【００２７】
次に、本発明の第二の実施形態にかかる塗布補助具と塗布具とを説明する。
図７は、本発明の第二の実施形態に係る塗布具のＢ−Ｂ断面図である。図８は、本発明の第二の実施形態に係る塗布具のＤ−Ｄ断面図である。
【００２８】
第二の実施形態にかかる塗布具は、物体の面に塗布剤を塗布するためのものであり、塗布シート１０と塗布補助具２０とで構成される。
第一の実施形態にかかる塗布具と同じ部分は省略し、異なる点のみを説明する。
塗布シート１０は、第一の実施形態のものと同じである。
【００２９】
塗布補助具２０は、物体の面に塗布剤を塗布するためのシート状の塗布シート１０を保持するためのものであり、第一部材２１と第二部材２２とで構成される。
【００３０】
第一部材２１は、弾性を持つ素材ででき互いに対向する上面と下面とをもち該上面と該下面とを貫通する貫通穴Ｈを設けられた塊状の部材である。
下面が略平面であり、上面の一部が中央部から縁部に向かって下面との厚みが薄くなる様に傾斜していてもよい。
第一部材が下面の側から見て略長方形であって略長方形の１対の長辺が中央部に向かって各々に湾曲している輪郭を持っていてもよい。
貫通穴Ｈは、上から見て略長方形の輪郭を持っていてもよい。
貫通穴Ｈは、上面から下面へ移動するにつれ大きくなる輪郭をもった穴であってもよい。
例えば、貫通穴Ｈの輪郭は上から見て略長方形であり、１対の長辺の離間距離が上面から下面に移動するにしたがい広くなる。
【００３１】
第二部材２２は、貫通穴に嵌め合い可能な塊状の部材である。
第二部材２２が第一部材２１から貫通穴Ｈの輪郭に沿って抜き取った残材でできていてもよい。
例えば、第二部材２２の外形は貫通穴Ｈの輪郭に一致する。
【００３２】
次に、本発明の第三の実施形態にかかる塗布補助具と塗布具とを説明する。
図９は、本発明の第三の実施形態に係る塗布具のＡ−Ａ断面図である。図１０は、本発明の第三の実施形態に係る塗布具のＣ−Ｃ断面図である。
【００３３】
第三の実施形態にかかる塗布具は、物体の面に塗布剤を塗布するためのものであり、塗布シート１０と塗布補助具２０とで構成される。
第一の実施形態にかかる塗布具と同じ部分は省略し、異なる点のみを説明する。
塗布シート１０と第一部材２１とは、第一の実施形態にかかるものと同じなので、説明を省略する。
【００３４】
第二部材２２は、貫通穴に嵌め合い可能な塊状の部材である。
第二部材２２を貫通穴Ｈに押し込むと、第二部材２２の上部が第一部材２１の上面より飛び出す。第二部材２２の飛び出した部分を把持可能である。
第二部材２２の上からみた外形は、貫通穴Ｈの輪郭に一致し、第二部材２２の高さが第一部材２１の高さより高くてもよい。
この様にすると、第二部材２２を把持して、塗布作業をすることができ、手を塗布剤で汚さずに済む。
【００３５】
以上説明したように、本発明に係る塗布補助具と塗布具は、その構成により、以下の効果を有する。
第一部材２１に第二部材２２の嵌め合う貫通穴Ｈを設け、塗布シート１０が第一部材２１の下面を覆う様に第一部材を囲い、塗布シート１０の互いに離れた少なくとも２箇所の端部を上面の側から貫通穴Ｈに詰め込み、第二部材２２の貫通穴Ｈに詰め込まれた部分を押さえ込まれる様にしたので、第一部材２１の下側から塗布シート１０に塗布剤を染み込ませて、第一部材２１と第二部材２２とを物体の面に沿って移動させて、物体の面に塗布剤を塗布できる。
また、塗布剤を下面から沁ませると、貫通穴Ｈの中に押し込まれた塗布シート１０が塗布剤を吸収するので、塗布作業を行う際に、塗布剤が貫通穴Ｈの中に押し込まれた塗布シート１０から染み出て、塗布剤の頻繁な追加が不要になる。その結果、物体の面に塗布剤を塗布する作業を効率良く行うことができる。
また、第二部材２２が第一部材２１の貫通穴から飛び出す高さが大きいと、飛び出した第二部材２２をつかんで塗布作業をすることができ、手を塗布剤で汚さないで作業をできる。
また、第二部材２２が第一部材２１から貫通穴Ｈの輪郭に沿って抜き取った残材で作ったので、歩留まり良く第一部材２１と第二部材２２とを作ることができ、貫通穴Ｈに嵌め合わせた第二部材が抜けにい。
また、塗布補助具２０を製造する際に、廃棄するものが少なくなる。
また、上面の一部が中央部の側から縁部に向かって移動するに従い下面との厚みが薄くなる様に傾斜している様にしたので、塗布剤を染ませた塗布シートを第一部材２１と第二部材２２とに挟んで、物体の表面に沿って移動する際に、狭い個所にも塗布剤を塗布できる。
また、第一部材２１が下面の側から見て略長方形であって略長方形の１対の長辺が中央部に向かって各々に湾曲している輪郭を持つ様にしたので、手で第一部材を把持する際に、湾曲した輪郭をつかみ易くなる。
また、貫通穴Ｈを上面から下面に移動するのに応じて上からみた輪郭を大きくなるようにすると、貫通穴Ｈに押し込める塗布シートを多くすることができ、沁ませる塗布剤を大くすることができる。
また、第二部材の高さを第一部材の高さより高くなる様にすると、第二部材２２の上面から飛び出た第一部材２１の部分を手で握ることができ、手を塗布剤で汚すことなく塗布作業をすることができる。
【００３６】
本発明は以上に述べた実施形態に限られるものではなく、発明の要旨を逸脱しない範囲で各種の変更が可能である。
【図面の簡単な説明】
【００３７】
【図１】本発明の第一の実施形態に係る塗布具の平面図である。
【図２】本発明の第一の実施形態に係る塗布具のＡ−Ａ断面図である。
【図３】本発明の第一の実施形態に係る塗布具のＢ−Ｂ断面図である。
【図４】本発明の第一の実施形態に係る塗布具の平面組立図である。
【図５】本発明の第一の実施形態に係る塗布具のＣ−Ｃ断面図である。
【図６】本発明の第一の実施形態に係る塗布具のＤ−Ｄ断面図である。
【図７】本発明の第二の実施形態に係る塗布具のＢ−Ｂ断面図である。
【図８】本発明の第二の実施形態に係る塗布具のＤ−Ｄ断面図である。
【図９】本発明の第三の実施形態に係る塗布具のＡ−Ａ断面図である。
【図１０】本発明の第三の実施形態に係る塗布具のＣ−Ｃ断面図である。
【符号の説明】
【００３８】
Ｈ    貫通穴
１０    塗布シート
２０    塗布補助具
２１    第一部材
２２    第二部材
【図１】
2010131530.tif 000003
【図２】
2010131530.tif 000004
【図３】
2010131530.tif 000005
【図４】
2010131530.tif 000006
【図５】
2010131530.tif 000007
【図６】
2010131530.tif 000008
【図７】
2010131530.tif 000009
【図８】
2010131530.tif 000010
【図９】
2010131530.tif 000011
【図１０】
2010131530.tif 000012